(57)【要約】【課題】起動時における出力制限の緩和を図ることである。【解決手段】第１の出力制限値Ｐlaおよび第２の出力制限値Ｐlbのうち小さい方の値（最小値Ｐlmin）に基づいて、出力取出装置４によって取り出される出力が制限される。また、第２の出力制限値Ｐlbが第１の出力制限値Ｐlaと対応するように、目標運転温度Ｔtcが設定され、燃料電池スタック１の温度が制御される。【選択図】図１
2010067438.tif 000002
【特許請求の範囲】
【請求項１】
燃料極に供給される燃料ガスと酸化剤極に供給される酸化剤ガスとを電気化学的に反応させることにより発電を行う燃料電池と、
前記燃料電池の温度を調整する温度調整手段と、
前記燃料電池の温度を検出する温度検出手段と、
前記燃料電池の燃料極側に存在する不純物量を検出する不純物量検出手段と、
前記燃料電池から出力を取り出す出力取出手段と、
前記不純物量検出手段によって検出される前記不純物量に基づいて、前記燃料電池から取り出し可能な出力の制限値を第１の出力制限値として算出するとともに、前記温度検出手段によって検出される前記燃料電池の温度に基づいて、前記燃料電池から取り出し可能な出力の制限値を第２の出力制限値として算出する演算手段と、
前記演算手段の演算結果に基づいて、前記出力取出手段および前記温度調整手段を制御する制御手段とを有し、
前記制御手段は、前記第１の出力制限値および前記第２の出力制限値のうち小さい方の値に基づいて、前記出力取出手段によって取り出される出力を制限するとともに、前記第２の出力制限値が前記第１の出力制限値と対応するように、前記温度調整手段により前記燃料電池の温度を制御することを特徴とする燃料電池システム。
【請求項２】
前記演算手段は、前記温度検出手段によって検出される前記燃料電池の温度が小さい程、値が大きくなるように前記第１の出力制限値を補正することを特徴とする請求項１に記載された燃料電池システム。
【請求項３】
前記燃料極における燃料ガスの圧力を検出する圧力検出手段をさらに有し、
前記演算手段は、前記圧力検出手段によって検出される前記燃料ガスの圧力が大きい程、値が大きくなるように前記第１の出力制限値を補正することを特徴とする請求項１に記載された燃料電池システム。
【請求項４】
前記演算手段は、前記燃料電池の温度に応じた前記第２の出力制限値を示す対応関係を保持しており、
前記制御手段は、前記演算手段が保持する前記対応関係から、前記第１の出力制限値と対応する前記燃料電池の温度を目標運転温度として特定し、前記温度検出手段によって検出される前記燃料電池の温度が、前記特定された目標運転温度と対応するように、前記温度調整手段を制御することを特徴とする請求項１から３のいずれか一項に記載された燃料電池システム。
【請求項５】
前記燃料電池の燃料極側に存在する不純物を外部に排出する排出手段をさらに有し、
前記演算手段は、前記排出手段によって不純物の排出が開始されてからの経過時間を計測するともに、当該計測された経過時間に基づいて、前記燃料電池から取り出し可能な出力の制限値を第３の出力制限値として算出しており、
前記制御手段は、前記第１の出力制限値、前記第２の出力制限値および前記第３の出力制限値のうち最も小さい値に基づいて、前記出力取出手段によって取り出される出力を制限するとともに、前記第２の出力制限値が、前記第１の出力制限値および前記第３の出力制限値のうち小さい方の値と対応するように、前記温度調整手段により前記燃料電池の温度を制御することを特徴とする請求項１から４のいずれか一項に記載された燃料電池システム。
【請求項６】
前記演算手段は、前記燃料電池の温度に応じた前記第２の出力制限値を示す対応関係を保持しており、
前記制御手段は、前記演算手段が保持する前記対応関係から、前記第１の出力制限値および前記第３の出力制限値のうち小さい方の値と対応する前記燃料電池の温度を目標運転温度として特定し、前記温度検出手段によって検出される前記燃料電池の温度が、前記特定された目標運転温度と対応するように、前記温度調整手段を制御することを特徴とする請求項５に記載された燃料電池システム。
【発明の詳細な説明】
【技術分野】
【０００１】
本発明は、燃料電池システムに関する。
【背景技術】
【０００２】
従来より、燃料極に供給される燃料ガスと酸化剤極に供給される酸化剤ガスとを電気化学的に反応させることにより発電を行う燃料電池を備える燃料電池システムが知られている。
【０００３】
例えば、特許文献１には、燃料電池システムの起動時に、燃料電池の温度が高い程、燃料電池から取り出し可能な出力の制限値を大きな値に設定する手法が開示されている。一方、例えば、特許文献２には、燃料電池システムの起動時に、燃料極における不純物濃度が低い程、燃料電池から取り出し可能な出力の制限値を大きな値に設定する手法が開示されている。
【特許文献１】特開２００４−１７８９９８号公報
【特許文献２】特開２００４−１７２０２６号公報
【発明の開示】
【発明が解決しようとする課題】
【０００４】
しかしながら、特許文献１および特許文献２に開示された双方の手法を行う場合には、燃料電池の温度が高い程不純物濃度が高くなり、燃料電池の温度が低い程不純物濃度が低くなる傾向があるため、いずれか一方の手法による出力制限値が働くことにより、出力制限が緩和されないという問題がある。
【０００５】
本発明はかかる事情に鑑みてなされたものであり、その目的は、起動時における出力制限の緩和を図ることである。
【課題を解決するための手段】
【０００６】
かかる課題を解決するために、本発明は、燃料電池の燃料極側に存在する不純物量に応じた第１の出力制限値、および燃料電池の温度に応じた第２の出力制限値のうち小さい方の値に基づいて、出力取出手段によって取り出される出力を制限する。また、第２の出力制限値が第１の出力制限値と対応するように、温度調整手段により燃料電池の温度が制御される。
【発明の効果】
【０００７】
本発明によれば、第２の出力制限値が第１の出力制限値と対応するように、燃料電池の温度を制御することにより、第２の出力制限値による出力制限の場合は第２の出力制限値による制限が解消する方向に働き、第１の出力制限値による出力制限の場合は第１の出力制限値による制限が解消する方向に働くので、いずれか一方の出力制限が強く働くといった事態を抑制することができる。これにより、出力制限を緩和することができる。
【発明を実施するための最良の形態】
【０００８】
図１は、本発明の第１の実施形態にかかる燃料電池システムの構成を模式的に示すブロック図である。燃料電池システムは、例えば、車両に搭載されており、この車両は燃料電池システムから供給される電力によって駆動する。
【０００９】
燃料電池システムは、固体高分子電解質膜を介して酸化剤極２と燃料極３とが対設された燃料電池構造体を、セパレータを介して複数積層することにより構成される燃料電池スタック（燃料電池）１を備える。この燃料電池スタック１は、酸化剤極（反応極）に酸化剤ガス（反応ガス）が供給されるとともに燃料極（反応極）２に燃料ガス（反応ガス）が供給されることにより、燃料ガスおよび酸化剤ガスを電気化学的に反応させて電力を発生する。本実施形態では、燃料ガスとして水素を、酸化剤ガスとして空気を用いるケースについて説明する。
【００１０】
燃料電池システムには、燃料電池スタック１に空気を供給するための空気系と、燃料電池スタック１に水素を供給するための水素系と、燃料電池スタック１を冷却するための冷却系とが備えられている。
【００１１】
空気系において、酸化剤ガスである空気は、空気供給手段から空気供給流路Ｌ１を介して燃料電池スタック１に供給される。具体的には、空気供給流路Ｌ１には、コンプレッサ１０が設けられている。コンプレッサ１０は、大気（空気）を取り込むとともに、これを加圧して吐出する。また、空気供給流路Ｌ１には、アフタークーラ１１と、加湿装置１２とが設けられている。コンプレッサ１０から吐出された空気は、アフタークーラ１１によって冷却されるとともに加湿装置１２によって加湿された後に、燃料電池スタック１に供給される。
【００１２】
燃料電池スタック１における個々の酸化剤極２からの排出ガス（酸素が消費された空気）は、空気排出流路Ｌ２を介して外部に排出される。空気排出流路Ｌ２は、上述した加湿装置１２を経由して配置されており、加湿装置１２では、酸化剤極２側からの排出ガスと、コンプレッサ１０から供給される空気との間で水分交換を行うことにより、加湿が行われる。空気排出流路Ｌ２には、空気調圧バルブ１３が設けられている。この空気調圧バルブ１３の開度は、燃料電池スタック１の酸化剤極２における空気の圧力が所望の圧力（例えば、燃料電池スタック１の燃料極３における水素の圧力）となるように、制御部４０によって制御される。
【００１３】
水素系において、燃料ガスである水素は、燃料ガス供給手段から水素供給流路Ｌ３を介して燃料電池スタック１に供給される。具体的には、水素は、例えば、高圧水素ボンベといった燃料タンク２０に貯蔵されており、この燃料タンク２０から水素供給流路Ｌ３を介して燃料電池スタック１に供給される。
【００１４】
水素供給流路Ｌ３には、燃料タンク２０の下流にタンク元バルブ（図示せず）が設けられているとともに、タンク元バルブの下流に減圧バルブ（図示せず）が設けられている。燃料タンク２０内の水素は、タンク元バルブが開状態とされることにより、水素供給流路Ｌ３へと供給され、減圧バルブによって所定の圧力まで機械的に減圧される。また、水素供給流路Ｌ３には、減圧バルブの下流側に水素調圧バルブ２１が設けられている。この水素調圧バルブ２１の開度は、燃料電池スタック１の燃料極３における水素の圧力および流量が所望の値となるように、制御部４０によって制御される。
【００１５】
燃料電池スタック１における個々の燃料極３からの排出ガスは、水素循環流路Ｌ４に排出される。水素循環流路Ｌ４の他方の端部は、水素供給流路Ｌ３における水素調圧バルブ２１よりも下流側に接続されている。この水素循環流路Ｌ４には、例えば、水素循環ポンプ２２といった水素循環手段が設けられている。燃料電池スタック１の燃料極からの排出ガスは、水素循環手段によって燃料タンク２０からの水素に合流させられることにより、燃料電池スタック１の燃料極に循環する。
【００１６】
ところで、酸化剤ガスとして空気を用いるケースでは、発電に寄与することのない不純物（例えば、窒素）が、酸化剤極２から燃料極３へと電解質膜を介して透過する。透過する窒素の量は、酸化剤極２と燃料極３との窒素分圧差や電解質膜の温度に応じた値となる。水素循環ポンプ２２の循環流量には、水素循環ポンプ２２のガス循環性能、および、燃料極３および水素循環流路Ｌ４の圧力損失に基づいた限界値が存在する。そのため、燃料電池スタック１の発電に応じて要求される水素流量に応じて、燃料極および水素循環流路Ｌ４を含む循環系に許容できる窒素量の限界値（以下「許容窒素量」という）が存在する。循環系における窒素量を許容窒素量以下に調整するため、酸化剤極２からの透過窒素を外部へ排出する必要がある。
【００１７】
そこで、水素循環流路Ｌ２には、循環系内から窒素をパージするためのパージ流路Ｌ５が接続されている。パージ流路Ｌ５には、パージバルブ２４が設けられており、このパージバルブ２４の開度を制御することにより、水素循環流路Ｌ４を流れる循環ガスを外部に排出することができる。これにより、循環系内から窒素をパージすることができる。この窒素のパージにより、循環系内における窒素量を許容窒素量以下に調整することができる。このパージ流路Ｌ５の他方の端部は、空気排出流路Ｌ２に接続されている。
【００１８】
冷却系は、ラジエータ３０と、このラジエータ３０と燃料電池スタック１との間で冷却液が循環する閉ループ状の循環流路Ｌ６とを有している。ラジエータ３０には、ラジエータ３０を送風するファン３１が設けられている。循環流路Ｌ６には、冷却液を循環させる循環ポンプ（以下「冷却液循環ポンプ」という）３２が設けられている。冷却液循環ポンプ３２を動作させることにより、循環流路Ｌ６内の冷却液が循環する。燃料電池スタック１の冷却によって温度が上昇した冷却液は、循環流路Ｌ６を経由して、ラジエータ３０に流れ、ラジエータ３０によって冷却される。冷却された冷却液は、燃料電池スタック１に供給される。必要に応じて、ファン３１を駆動することでラジエータ３０からの放熱量を増加させることができる。
【００１９】
また、循環流路Ｌ６には、冷却液がラジエータ３０を迂回して循環するためのバイパス流路Ｌ７が設けられている。バイパス流路Ｌ７と循環流路Ｌ６との接続部には三方弁３３が設けられている。三方弁３３の開度を調整し、冷却液をラジエータ３０側に供給することで、冷却液の熱をラジエータ３０から外部へ放熱する。一方、三方弁３３の開度を調整し、バイパス路Ｌ７側へ冷却液を流すことにより、外部への放熱を規制する。
【００２０】
このように、三方弁３３の開度を調整することにより冷却液の温度を調整することができる。本実施形態では、燃料電池スタック１の入口における冷却液の温度（以下「入口冷却液温度」という）を燃料電池スタック１の温度として管理するため、この入口冷却液温度が目標運転温度と対応するように、制御部４０によって冷却液の温度制御が行われる。また、本実施形態では、燃料電池スタック１において、燃料極３から排出される水素の出口側と、冷却液の入口側とにおいて熱交換を行う構成になっている。燃料極３に流入した水素と冷却液との間の熱交換によって、燃料極３からの排出ガスの温度と、入口冷却液温度とは対応した温度となる。
【００２１】
燃料電池スタック１には、燃料電池スタック１から取り出す出力（例えば、電流）を制御する出力取出装置（出力取出手段）４が接続されている。燃料電池スタック１において発電された電力は、出力取出装置４を介して車両駆動用の電動モータといった負荷や、燃料電池システムを動作させるために必要な補機に供給される。
【００２２】
制御部４０は、システム全体を統合的に制御する機能を担っており、制御プログラムに従って動作することにより、システムの運転状態を制御する。制御部４０としては、ＣＰＵ、ＲＯＭ、ＲＡＭ、Ｉ／Ｏインターフェースを主体に構成されたマイクロコンピュータを用いることができる。この制御部４０は、システムの状態に基づいて、各種の演算を行い、この演算結果を制御信号として各種のアクチュエータ（図示せず）に出力する。これにより、各種のバルブの状態、コンプレッサ１０の回転数、および、冷却液循環ポンプ３２の回転数、出力取出装置４から取り出される出力などが制御される。
【００２３】
制御部４０には、システムの状態を検出するために、各種センサ等からのセンサ信号が入力されている。空気圧力センサ４１は、燃料電池スタック１の酸化剤極２における空気の圧力を検出するセンサであり、水素圧力センサ（圧力検出手段）４２は、燃料電池スタック１の燃料極３における水素の圧力を検出するセンサである。湿度センサ４３は、パージ流路Ｌ５におけるガスの湿度を検出し、水素濃度センサ４４は、パージ流路Ｌ５におけるガス中の水素濃度を検出する。冷却液温度センサ（温度検出手段）４５は、燃料電池スタック１の温度、すなわち、入口冷却液温度を検出する。また、大気圧センサ（図示せず）は、大気圧を検出する。
【００２４】
本実施形態との関係において、制御部４０は、燃料極に残留する窒素を水素で置換するために、燃料電池システムの起動時に行う起動制御として、以下の処理を行う。具体的には、制御部４０は、燃料電池スタック１の燃料極側に存在する窒素量（以下「残留窒素量」という）を検出する（不純物量検出手段）。制御部４０は、残留窒素量に基づいて、第１の出力制限値を算出するとともに、入口冷却液温度に基づいて、第２の出力制限値を算出する（演算手段）。そして、制御部４０は、演算結果に基づいて、出力取出装置４、および、燃料電池スタック１の温度を調整する温度調整手段（本実施形態では、ラジエータ３０、ファン３１、三方弁３３）を制御する（制御手段）。ここで、制御部４０は、第１の出力制限値および第２の出力制限値のうち小さい方の値に基づいて、出力取出装置４によって取り出される出力を制限するとともに、第２の出力制限値が第１の出力制限値と対応するように、温度調整手段により燃料電池スタック１の温度を制御する。
【００２５】
図２は、本発明の第１の実施形態にかかる燃料電池システムの制御方法、具体的には、起動制御の手順を示すフローチャートである。同図に示す処理は、例えば、イグニッションスイッチのオン信号をトリガーとして、制御部４０によって実行される。まず、ステップ１（Ｓ１）において、制御部４０は、パージバルブ２４を開状態に制御する。
【００２６】
図３は、残留窒素量Ｎｃの演算手順を示す説明図である。ステップ２（Ｓ２）において、制御部４０は、残留窒素量Ｎｃを推定（検出）する。ここで、残留窒素量Ｎｃは、燃料電池スタック１の燃料極３に存在する窒素の量である。まず、制御部４０は、パージバルブ２４からの窒素排出流量Ｑnoを算出する。具体的には、制御部４０は、予め設定されているパージバルブ２４の流量特性に、パージバルブ２４における入口圧力、出口圧力、ガス密度を適用し、パージバルブ２４からの排出流量を算出する。そして、この排出流量に窒素濃度を積算することにより、窒素排出流量Ｑnoが算出される。ここで、パージバルブ２４の入口圧力は、水素圧力センサ４２のセンサ値Ｐhiから推定し、パージバルブ２４の出口圧力は、図示しない大気圧センサのセンサ値Ｐhoから推定する。ガス密度は、圧力と温度とガス組成から算出することができる。そのため、水素圧力センサ４２のセンサ値Ｐhi、冷却液温度センサ４５のセンサ値Ｔci、水素濃度センサ４４のセンサ値Ｃｈおよび湿度センサ４３のセンサ値Ｈｃから水素濃度、水蒸気濃度、窒素濃度が算出され、これらのガス状態の情報に基づいてガス密度が算出される。
【００２７】
つぎに、制御部４０は、窒素排出流量Ｑnoに制御周期Ｔcyを積算することにより、パージバルブ２４から排出される窒素排出量Ｎocを算出し、この窒素排出量Ｎocを制御周期毎に積算することで総窒素排出量Ｎotを算出する。そして、制御部４０は、残留窒素量初期値Ｎinから総窒素排出量Ｎotを減算することにより残留窒素量Ｎｃを算出する。ここで、残留窒素量初期値は、燃料電池システム起動時における水素圧力センサ４２のセンサ値Ｐhi、冷却液温度センサ４５のセンサ値Ｔci、水素濃度センサ４４のセンサ値Ｃｈおよび湿度センサ４３のセンサ値Ｈｃから窒素濃度を算出し、このガス状態の情報と水素調圧バルブ２１の下流側からパージバルブ２４の上流側までの体積とに基づいて算出される。
【００２８】
ステップ３（Ｓ３）において、制御部４０は、残留窒素量Ｎｃが許容窒素量Ｎthよりも大きいか否かが判定される。ここで、許容窒素量Ｎthは、燃料電池システムのシステム構成を考慮して、実験やシミュレーションを通じてその最適値が予め設定されている。このステップ３において肯定判定された場合、すなわち、残留窒素量Ｎｃが許容窒素量Ｎthよりも大きい場合には（Ｎｃ＞Ｎth）、ステップ４（Ｓ４）に進む。一方、ステップ３において否定判定された場合、すなわち、残留窒素量Ｎｃが許容窒素量Ｎth以下の場合には（Ｎｃ≦Ｎth）、ステップ９（Ｓ９）に進む。
【００２９】
ステップ４において、制御部４０は、第１の出力制限値Ｐlaを算出する。ここで、第１の出力制限値Ｐlaは、燃料極３に残留する窒素量を考慮して、燃料電池スタック１から取り出される出力がそれ以上の値となることがないように、出力を制限するための値である。具体的には、制御部４０は、ステップ２において推定された残留窒素量Ｎｃに基づいて、第１の出力制限値Ｐlaを算出する。第１の出力制限値Ｐlaは、残留窒素量Ｎｃと相関があり、燃料電池スタック１の特性などを考慮した上で、実験やシミュレーションを通じて両者の関係が取得されている。図４に示すように、残留窒素量Ｎｃと第１の出力制限値Ｐlaとは、例えば、比例関係にあり、残留窒素量Ｎｃが大きい程、第１の出力制限値Ｐlaが小さくなる。残留窒素量Ｎｃと第１の出力制限値Ｐlaとの対応関係は、マップまたは演算式として制御に保持されている。
【００３０】
ステップ５（Ｓ５）において、制御部４０は、冷却液温度センサ４５から入口冷却液温度Ｔciを読み込む。
【００３１】
ステップ６（Ｓ６）において、制御部４０は、第２の出力制限値Ｐlbを算出する。ここで、第２の出力制限値Ｐlbは、燃料電池スタック１の温度を考慮して、燃料電池スタック１から取り出される出力がそれ以上の値となることがないように、出力を制限するための値である。具体的には、制御部４０は、ステップ５において読み込まれた入口冷却液温度Ｔciに基づいて、第２の出力制限値Ｐlbを算出する。第２の出力制限値Ｐlbは、入口冷却液温度Ｔci（燃料電池スタック１の温度）と相関があり、燃料電池スタック１の特性などを考慮した上で、実験やシミュレーションを通じて両者の関係が取得されている。図５に示すように、入口冷却液温度Ｔciと第２の出力制限値Ｐlbとは、例えば、比例関係にあり、入口冷却液温度Ｔciが大きい程、第２の出力制限値Ｐlbが大きくなる。入口冷却液温度Ｔciと第２の出力制限値Ｐlbとの対応関係は、マップまたは演算式として制御部４０に保持されている。
【００３２】
ステップ７（Ｓ７）において、制御部４０は、第１の出力制限値Ｐlaと第２の出力制限値Ｐlbとを比較することにより、小さい方の出力制限値Ｐla，Ｐlbを出力制限値の最小値Ｐlminとして算出する。この出力制限値の最小値Ｐlminの算出に応じて、制御部４０は、燃料電池スタック１から取り出す出力が、出力制限値の最小値Ｐlmin以下となるように出力取出装置４を制御する。
【００３３】
ステップ８（Ｓ８）において、制御部４０は、ステップ７において算出された出力制限値の最小値Ｐlminに基づいて、目標運転温度Ｔtcを算出する。図６に示すように、出力制限値の最小値Ｐlminと目標運転温度Ｔtcとは、例えば、比例関係にあり、出力制限値の最小値Ｐlminが大きい程、目標運転温度Ｔtcが大きくなる。出力制限値の最小値Ｐlminと目標運転温度Ｔtcとの対応関係における特性は、図５に示す入口冷却液温度Ｔciと第２の出力制限値Ｐlbとの対応関係における特性と同じとなっている。そのため、第２の出力制限値Ｐlbが、第１の出力制限値Ｐlaと対応するような目標運転温度Ｔtcが算出される。この目標運転温度Ｔtcの算出に応じて、制御部４０は、入口冷却液温度Ｔciが目標運転温度Ｔtcと対応するように冷却液の温度制御を行う。出力制限値の最小値Ｐlminと目標運転温度Ｔtcとの対応関係は、マップまたは演算式として制御部４０に保持されている。
【００３４】
一方、ステップ９（Ｓ９）において、制御部４０は、起動制御を終了して、通常運転へ移行することを示すフラグＦｓを「１」にセットして、本ルーチンを抜ける。
【００３５】
このように本実施形態によれば、第１の出力制限値Ｐlaおよび第２の出力制限値Ｐlbのうち小さい方の値（最小値Ｐlmin）に基づいて、出力取出装置４によって取り出される出力が制限される。また、第２の出力制限値Ｐlbが第１の出力制限値Ｐlaと対応するように、目標運転温度Ｔtcが設定され、燃料電池スタック１の温度が制御される。
【００３６】
第１の出力制限値Ｐlaは、残留窒素量Ｎｃによる出力制限値であり、残留窒素量Ｎｃが小さくなる程、水素分圧が高くなるので、大きな値に設定することができる。ここで、残留窒素は、パージバルブ２４からの排出流量が増えるほど速やかに減少する。パージバルブ２４からの排出流量は、ガス密度が高い程、すなわち燃料電池スタック１の温度が低い程、増える。よって、燃料電池スタック１の温度が低くなるほど、残留窒素量Ｎｃが速やかに減少するため、第１の出力制限値Ｐlaも速やかに緩和される傾向となる。
【００３７】
これに対して、第２の出力制限値Ｐlbは、燃料電池スタック１の温度による出力制限値であり、燃料電池スタック１の温度が高い程、燃料電池スタック１の発電が安定するので、大きな値に設定することができる。燃料電池スタック１の温度が高くなるほど、第２の出力制限値Ｐlbも速やかに緩和される傾向となる。
【００３８】
このように、第１の出力制限値Ｐlaと第２の出力制限値Ｐlbとは、燃料電池スタック１の温度に関してトレードオフの関係にある。しかしながら、第２の出力制限値Ｐlbが第１の出力制限値Ｐlaと対応するように、燃料電池スタック１の温度を制御することにより、いずれか一方の出力制限が強く働くといった事態を抑制することができ、出力制限を緩和することができる。
【００３９】
また、本実施形態によれば、制御部４０は、入口冷却液温度Ｔciと第２の出力制限値Ｐlbとの対応関係から、第１の出力制限値Ｐlaと対応する入口冷却液温度Ｔci（燃料電池スタック１の温度）を目標運転温度Ｔtcとして特定する。そして、制御部４０は、検出される入口冷却液温度Ｔciが、特定された目標運転温度Ｔtcと対応するように、温度調整手段を制御する。
【００４０】
かかる構成によれば、第２の出力制限値Ｐlbが第１の出力制限値Ｐlaと対応するように、燃料電池スタック１の温度を制御することができる。これにより、いずれか一方の出力制限が強く働くといった事態を抑制することができ、出力制限を緩和することができる。
【００４１】
なお、残留窒素量Ｎｃが同じ条件下では、燃料電池スタック１の温度が低い程、水蒸気分圧が下がり、燃料極内の水素分圧（水素濃度）が高くなる。そこで、制御部４０は、燃料電池スタック１の温度が小さい程、値が大きくなるように第１の出力制限値Ｐlaを補正してもよい。これにより、出力制限をさらに緩和することが可能となる。また、残留窒素量Ｎｃが同じ条件下では、燃料電池スタック１の燃料極における水素圧力が高い程、燃料極内の水素分圧（水素濃度）が高くなる。そこで、制御部４０は、燃料極における水素圧力が大きい程、値が大きくなるように第１の出力制限値Ｐlaを補正してもよい。これにより、出力制限をさらに緩和することが可能となる。
【００４２】
また、冷却液が燃料電池スタック１から吸収した熱は、ラジエータ３０を介して外気に放熱するため、入口冷却液温度Ｔciを外気温より下げることが困難となる。そのため、目標運転温度Ｔtcと、図示しない外気温センサのセンサ値を比較して、より大きい温度を目標運転温度Ｔtcとして設定してもよい。
【００４３】
（第２の実施形態）
図７は、本発明の第２の実施形態にかかる燃料電池システムの制御方法、具体的には、起動制御の手順を示すフローチャートである。本実施形態の燃料電池システムが、第１の実施形態のそれと相違する点は、起動制御の手順である。なお、第１の実施形態と重複する構成については符号を引用してその説明は省略するととし、以下、相違点を中心として説明を行う。
【００４４】
本実施形態にかかる起動制御は、第１の実施形態に示すステップ１とステップ２との間にステップ１０の処理が実行され、また、第１の実施形態に示すステップ７，８に代えてステップ１１からステップ１４までの処理が実行される。
【００４５】
具体的には、ステップ１０（Ｓ１０）において、制御部４０は、パージバルブ２４を開状態に制御してからの経過時間Ｔseを計測する。
【００４６】
一方、ステップ１１（Ｓ１１）において、制御部４０は、経過時間Ｔseに基づいて、要求出力上限値（第３の出力制限値）Ｐluを算出する。要求出力上限値Ｐluは、システムを起動してからの経過時間に応じて、ユーザから燃料電池システムに要求される出力の上限値である。経過時間Ｔseと、要求出力上限値Ｐluとの対応関係は、燃料電池システムの運転に関する市場調査を通じて、経過時間毎の出力頻度を統計的に処理し決定されている。図８に示すように、例えば、要求出力上限値Ｐluは、経過時間Ｔseの増加に応じて単調増加するような傾向を有しており、経過時間が短い領域では残留窒素による出力制限値に対して小さくなるのが一般的である。経過時間Ｔseと、要求出力上限値Ｐluとの対応関係は、マップまたは演算式として制御部４０に保持されている。
【００４７】
ステップ１２（Ｓ１２）において、制御部４０は、第１の出力制限値Ｐla、第２の出力制限値Ｐlbおよび要求出力上限値Ｐluを比較することにより、最も値の小さい出力制限値Ｐla，Ｐlb，Ｐluを出力制限値の第１の最小値Ｐlmin1として算出する。この出力制限値の第１の最小値Ｐlmin1の算出に応じて、制御部４０は、燃料電池スタック１から取り出す出力が、出力制限値の第１の最小値Ｐlmin1以下となるように出力取出装置４を制御する。
【００４８】
ステップ１３（Ｓ１３）において、制御部４０は、第１の出力制限値Ｐlaと要求出力上限値Ｐluとを比較することにより、小さい方の出力制限値Ｐla，Ｐluを出力制限値の第２の最小値Ｐlmin2として算出する。
【００４９】
ステップ１４（Ｓ１４）において、ステップ１３において算出された出力制限値の第２の最小値Ｐlmin2に基づいて、目標運転温度Ｔtcを算出する。図６に示す傾向と同様に、出力制限値の第２の最小値Ｐlmin2と目標運転温度Ｔtcとは、例えば、比例関係にあり、出力制限値の第２の最小値Ｐlmin2が大きい程、目標運転温度Ｔtcが大きくなる。出力制限値の第２の最小値Ｐlmin2と目標運転温度Ｔtcとの対応関係における特性は、図５に示す入口冷却液温度Ｔciと第２の出力制限値Ｐlbとの対応関係における特性と同じとなっている。そのため、第２の出力制限値Ｐlbが、出力制限値の第２の最小値Ｐlmin2と対応するような目標運転温度Ｔtcが算出される。この目標運転温度Ｔtcの算出に応じて、制御部４０は、入口冷却液温度Ｔciが目標運転温度Ｔtcと対応するように冷却液の温度制御を行う。
【００５０】
このように本実施形態によれば、窒素の排出が開始されてからの経過時間Ｔseが計測されるともに、この経過時間Ｔseに基づいて、要求出力上限値（第３の出力制限値）Ｐluが算出される。この場合、制御部４０は、第１の出力制限値Ｐla、第２の出力制限値Ｐlbおよび要求出力上限値Ｐluのうち最も小さい値（第１の最小値Ｐlmin1）に基づいて、出力取出装置４によって取り出される出力が制限される。また、制御部４０は、第２の出力制限値Ｐlbが、第１の出力制限値Ｐlaおよび要求出力上限値Ｐluのうち小さい方の値（第２の最小値Ｐlmin2）と対応するように、燃料電池スタック１の温度を制御する。
【００５１】
かかる構成によれば、要求出力上限値Ｐluが第１の出力制限値Ｐlaに対して小さい運転領域では、第２の出力制限値Ｐlbが要求出力上限値Ｐluと対応するように温度制御が行われる。そのため、要求出力上限値Ｐluが設けられてない場合に対して、燃料電池スタック１の温度を低く制御することとなる。これにより、窒素の排出流量が増え、窒素が速やかに排出される。また、水素分圧（水素濃度）が高くなる。このことにより、水素による置換開始からの時間が経過しても、第１の出力制限値Ｐlaによる出力制限がかかりにくくなる。よって、要求出力上限値Ｐluでの運転領域を拡大でき、出力制限を緩和することができる。
【００５２】
また、本実施形態によれば、制御部４０は、入口冷却液温度Ｔciと第２の出力制限値Ｐlbとの対応関係から、第２の最小値Ｐlmin2と対応する燃料電池スタック１の温度（入口冷却液温度Ｔci）を目標運転温度Ｔtcとして特定する。また、制御部４０は、入口冷却液温度Ｔciが、特定された目標運転温度Ｔciと対応するように、温度調整手段を制御する。
【００５３】
かかる構成によれば、第２の出力制限値Ｐlbが第２の最小値Ｐlmin2と対応するように、燃料電池スタック１の温度を制御することができる。これにより、いずれか一方の出力制限が強く働くといった事態を抑制することができ、出力制限を緩和することができる。
【図面の簡単な説明】
【００５４】
【図１】第１の実施形態にかかる燃料電池システムの構成を模式的に示すブロック図
【図２】第１の実施形態にかかる燃料電池システムの起動制御の手順を示すフローチャート
【図３】残留窒素量Ｎｃの演算手順を示す説明図
【図４】残留窒素量Ｎｃと第１の出力制限値Ｐlaとの対応関係を示す説明図
【図５】入口冷却液温度Ｔciと第２の出力制限値Ｐlbとの対応関係を示す説明図
【図６】出力制限値の最小値Ｐlminと目標運転温度Ｔtcとの対応関係を示す説明図
【図７】第２の実施形態にかかる燃料電池システムの起動制御の手順を示すフローチャート
【図８】経過時間Ｔseと要求出力上限値Ｐluとの対応関係を示す説明図
【符号の説明】
【００５５】
１    燃料電池スタック
２    酸化剤極
３    燃料極
４    出力取出装置
１０    コンプレッサ
１１    アフタークーラ
１２    加湿装置
１３    空気調圧バルブ
２０    燃料タンク
２１    水素調圧バルブ
２２    水素循環ポンプ
２４    パージバルブ
３０    ラジエータ
３１    ファン
３２    冷却液循環ポンプ
３３    三方弁
４０    制御部
４１    空気圧力センサ
４２    水素圧力センサ
４３    湿度センサ
４４    水素濃度センサ
４５    冷却液温度センサ
【図１】
2010067438.tif 000003
【図２】
2010067438.tif 000004
【図３】
2010067438.tif 000005
【図４】
2010067438.tif 000006
【図５】
2010067438.tif 000007
【図６】
2010067438.tif 000008
【図７】
2010067438.tif 000009
【図８】
2010067438.tif 000010